(57)【要約】【課題】入力信号に変化が生じた場合であっても、効率よく画像表示手段の調整を行うことのできる画像表示装置を提供することを目的とする。【解決手段】画像信号が入力される画像入力手段１０と、この画像入力手段１０からの入力信号Ｓ１に基づいて光学像を形成する画像表示手段３０と、入力信号Ｓ１の信号モードに基づいて画像表示手段３０の表示設定を調整する画像表示調整手段４０とを備えた画像入力装置１は、判定手段５０を備え、この判定手段５０は、当該画像表示装置１の起動により入力信号Ｓ１に変化が生じているか否かを検出する装置起動検出部と、入力信号Ｓ１の変化を検出する信号変化検出部とを含み、所定の場合のみ画像表示調整手段４０を実行させるように構成されている。【選択図】図１
2006154836.tif 000002
【特許請求の範囲】
【請求項１】
画像信号が入力される画像入力手段と、この画像入力手段からの入力信号に基づいて光学像を形成する画像表示手段と、前記入力信号の信号モードに基づいて前記画像表示手段の表示設定を自動調整する画像表示調整手段と、を備えた画像表示装置であって、
前記入力信号の変化を検出する信号変化検出部、及び、前記信号変化検出部で前記入力信号の変化ありと検出された場合に変化前の入力信号の有無を検出する変化前信号検出部を含んで構成される判定手段と、
画像表示装置の動作中に入力信号に応じた信号モードおよび表示設定値を記憶する表示設定値記憶手段とを備え、
前記判定手段は、前記信号変化検出部で前記入力信号の変化がありと検出され、前記変化前信号検出部の検出状態により前記画像表示調整手段に表示設定の自動調整を実行させるか否かを判定することを特徴とする画像表示装置。
【請求項２】
請求項１に記載の画像表示装置において、
電源遮断時に前記画像表示手段に用いられた信号モードを記憶する信号モード記憶手段を備え、
前記判定手段は、前記画像表示装置の起動時には、前記入力信号に関する情報と前記信号モード記憶手段に記憶された信号モードとに基づいて前記画像表示調整手段に表示設定の自動調整を実行させるか否かを判定することを特徴とする画像表示装置。
【請求項３】
請求項１または請求項２に記載の画像表示装置において、
前記画像表示手段の表示設定を行う画像表示設定手段を備え、
前記判定手段は、前記画像表示調整手段に表示設定の自動調整を実行させない場合は、前記画像表示設定手段に前記表示設定値記憶手段に記憶された従前の表示設定値を使用した表示設定を実行させることを特徴とする画像表示装置。
【請求項４】
請求項１から請求項３のいずれかに記載の画像表示装置において、
前記画像表示手段の表示設定は、当該画像表示手段の水平同期調整を行うトラッキング情報を含み構成され、
前記判定手段は、前記信号変化前検出部で前記入力信号の変化がありと検出された場合、変化後の前記入力信号のトラッキング情報を取得し、前記表示設定値記憶手段に記憶された表示設定値のトラッキング情報と比較するトラッキング情報比較部を備え、このトラッキング情報比較部の比較結果により前記画像表示調整手段に表示設定の自動調整を実行させるか否かを判定することを特徴とする画像表示装置。
【発明の詳細な説明】
【技術分野】
【０００１】
本発明は、画像信号が入力される画像入力手段と、この画像入力手段からの入力信号に基づいて光学像を形成する画像表示手段と、前記入力信号の信号モードに基づいて前記画像表示手段の表示設定を調整する画像表示調整手段と、を備えた画像表示装置に関する。
【背景技術】
【０００２】
従来より、画像信号が入力される画像入力手段と、この画像入力手段から入力された画像信号に基づいて光学像を形成する画像表示手段とを備えた画像表示装置が利用され、このような画像表示装置の画像入力手段にコンピュータ、ビデオ等を接続することにより、コンピュータ等からの画像信号をスクリーン投写面等の大画面に表示することができるので、コンピュータによるマルチメディアプレゼンテーションシステムを効率的に構築することができる。
【０００３】
このような画像表示装置には種々のコンピュータが接続されるため、入力されるコンピュータの信号モードを予め想定して画像表示装置を調整するようにしている。
【発明の開示】
【発明が解決しようとする課題】
【０００４】
しかしながら、解像度、リフレッシュレート等の信号モードが同じであっても、コンピュータの機種によっては画像信号の水平周波数が異なる場合がある。また同じ水平周波数であっても、水平帰線消去期間のフロントポーチ期間、バックポーチ期間、および水平同期信号の同期幅がコンピュータの機種により異なる場合がある。このため、上述した画像表示装置において、新たなコンピュータを接続し、画像表示装置を起動する、操作中に画像表示装置で表示するコンピュータを切り替える等の入力信号に変化が生じた場合、ユーザーは、その都度、所定の信号モードにおけるトラッキング、同期、表示位置等の画像表示手段の表示設定の微調整を行わなければならないという問題がある。
【０００５】
一方、このように画像表示装置に入力される入力信号に変化が生じた場合、常に画像表示手段の表示設定の微調整を自動的に行うシステムも考えられるのだが、微調整に要する時間、特にトラッキング調整に要する時間が多くかかってしまうため、必ずしも合理的な
方法であるとはいい得ない。
【０００６】
本発明の目的は、画像信号が入力される画像入力手段と、この画像入力手段からの入力信号に基づいて光学像を形成する画像表示手段と、前記入力信号の信号モードに基づいて前記画像表示手段の表示設定を調整する画像表示調整手段と、を備えた画像表示装置にお
いて、入力信号に変化が生じた場合であっても、効率よく画像表示手段の調整を行うことのできる画像表示装置を提供することにある。
【課題を解決するための手段】
【０００７】
前記目的を達成するために、本発明に係る画像表示装置は、入力信号に変化が生じても、画像表示手段の自動調整を所定の場合に限って行うように構成したことを特徴とするものである。具体的には、本発明は、画像信号が入力される画像入力手段と、この画像入力手段からの入力信号に基づいて光学像を形成する画像表示手段と、前記入力信号の信号モードに基づいて前記画像表示手段の表示設定を自動調整する画像表示調整手段と、を備えた画像表示装置であって、前記入力信号の変化を検出する信号変化検出部、及び、前記信号変化検出部で前記入力信号の変化ありと検出された場合に変化前の入力信号の有無を検出する変化前信号検出部を含んで構成される判定手段と、画像表示装置の動作中に入力信号に応じた信号モードおよび表示設定値を記憶する表示設定値記憶手段とを備え、前記判定手段は、前記信号変化検出部で前記入力信号の変化がありと検出され、前記変化前信号検出部の検出状態により前記画像表示調整手段に表示設定の自動調整を実行させるか否かを判定することを特徴とする。
【０００８】
このような本発明によれば、入力信号の変化に対して画像表示調整手段に調整をさせるか否かを判定する判定手段を備えているので、自動調整が必要な場合にのみ画像表示調整手段による自動調整を実行させることができ、画像表示手段の表示設定の調整の効率化が図られる。
【０００９】
以上において、上述した画像表示装置は、電源遮断時に画像表示手段に用いられた信号モードを記憶する信号モード記憶手段を備え、装置起動検出部で入力信号の変化が起動時であると検出された場合、この信号モード記憶手段に記憶された信号モードを取得して画
像表示調整手段を実行するのが好ましい。
【００１０】
ここで、信号モード記憶手段としては、画像表示装置の電源を遮断しても、情報が失われない不揮発性のメモリを採用するのが好ましく、例えば、ＥＰＲＯＭ（Ｅｒａｓａｂｌｅ ＰｒｏｇｒａｍｍａｂｌｅＲｅａｄ Ｏｎｌｙ Ｍｅｍｏｒｙ）や、Ｅ２ＰＲＯＭ（Ｅｌｅｃｔｒｉｃａｌｌｙ Ｅｒａｓａｂｌｅ Ｐｒｏｇｒａｍｍａｂｌｅ Ｒｅａｄ Ｏｎｌｙ Ｍｅｍｏｒｙ）を採用することが考えられる。
【００１１】
すなわち、画像表示調整手段が前回の電源遮断時に用いられた信号モードを取得して自動調整を行うので、当該電源遮断時の画像表示手段の表示設定を利用することができ、画像表示調整手段による表示設定の調整の効率化を図ることができる。
【００１２】
また、上述した信号変化検出部で信号変化なしと検出された場合、判定手段は画像表示調整手段による調整を実行させないように構成するのが好ましい。
【００１３】
すなわち、判定手段がこのように画像表示調整手段による自動調整を実行させない経路を備えているので、必要のある場合のみ画像表示調整手段による自動調整を実行させることができる。
【００１４】
さらに、上述した判定手段は、信号変化検出部で信号変化ありと検出された場合、変化前の入力信号の有無を検出する変化前信号検出部を備え、この変化前信号検出部の検出状態により画像表示調整手段の実行を判定するのが好ましい。
【００１５】
ここで、「変化前の入力信号がない状態」とは、例えば、画像表示装置の起動後において、画像信号を出力するコンピュータを起動した場合、画像表示装置の画像入力部にコンピュータを接続したような場合、等が考えられる。一方、「変化前の入力信号がある状
態」とは、例えば、画像表示装置に複数のコンピュータが接続され、これらの切り替えを行った場合、画像信号を出力しているコンピュータにおいて当該画像信号の設定を変更した場合、等が考えられる。
【００１６】
すなわち、判定手段が変化前信号検出部を備えているので、以下のように画像表示調整手段の実行の適否を判断することができる。
【００１７】
（１）変化前の入力信号があると検出された場合、コンピュータの切り替えを行ったか若しくは画像信号の設定を変更していると考えられる。従って、入力信号の信号モードが変化したか、コンピュータの機種が変更されて表示設定値が異なるものとなっているので、画像表示調整手段による自動調整を行う。
【００１８】
（２）変化前の入力信号がないと検出された場合、画像表示装置の起動後に画像信号を出力しているコンピュータの電源を一旦遮断し再び起動した場合、コンピュータの画像入力部との接続をやり直した場合等が考えられ、以前表示設定を行っているコンピュータである可能性がある。従って、画像表示調整手段による自動調整を直ちに実行するのではなく、過去に接続されたコンピュータの信号モードをチェックし、現在接続されているコンピュータの信号モードと同じものがあれば、その表示設定を採用する。
【００１９】
このようにすれば、画像表示調整手段による自動調整を一層限定された状況でのみ行うこととなり、画像表示手段の表示設定の調整を一層効率的に行うことができる。
【００２０】
そして、上述した画像表示装置は、予測される画像信号の信号モードおよびトラッキング情報の種類に応じて前記画像表示手段の表示設定値を記憶する表示設定値記憶手段を備え、画像表示手段の表示設定は、当該画像表示手段の水平同期調整を行うトラッキング情
報を含み構成され、判定手段は、変化後の入力信号のトラッキング情報を取得し、表示設定値記憶手段に記憶された表示設定値のトラッキング情報と比較するトラッキング情報比較部を備え、このトラッキング情報比較部の比較結果により画像表示調整手段の実行を判定するのが好ましい。
【００２１】
画像表示装置がトラッキング情報比較部を備えているので、変化前後のトラッキング情報を比較して、合致するトラッキング情報がなかった場合のみ画像表示調整手段による調整を実行させることができ、画像表示調整手段による調整をより一層効率的に行うことが
できる。
【発明の効果】
【００２２】
前述のような本発明によれば、画像表示装置が判定手段を備えているので、入力信号に変化に対して、必要な場合にのみ画像表示調整手段による自動調整を実行させることができ、画像表示手段の表示設定の調整の効率化を図ることができる。
【発明を実施するための最良の形態】
【００２３】
以下、本発明の実施の一形態を図面に基づいて説明する。
【００２４】
図１には、本発明の実施形態に係る画像表示装置となる投写型の画像表示装置１の構造を表すブロック図が示されている。
【００２５】
画像表示装置１は、不図示のコンピュータ、ビデオ等が接続される画像入力手段１０と、画像入力手段１０に入力された入力信号Ｓ１を変換する信号処理手段２０と、信号処理手段２０で変換された画像信号により光学像を形成する画像表示手段３０と、この画像表示手段３０の表示設定を調整する画像表示調整手段４０と、画像入力手段１０に入力される入力信号Ｓ１が変化すると、この画像表示調整手段４０による自動画像調整を実行させるか否かを判定する判定手段５０とを備えている。
また、この画像表示装置１には、コンピュータから出力される入力信号Ｓ１の信号モードを記憶する信号モード記憶手段６０と、この入力信号Ｓ１に対して、過去にユーザーが設定した画像表示手段３０のトラッキング、同期、表示位置等の表示設定値を格納した表示設定値記憶手段７０と、この表示設定値記憶手段７０の表示設定値を呼び出して、画像表示手段３０の表示を設定する画像表示設定手段８０とが設けられている。
【００２６】
画像入力手段１０は、コンピュータから出力されるＲＧＢ信号である入力信号Ｓ１を入力するＲＧＢ入力端子１１、ビデオから出力されるコンポジット信号である入力信号Ｓ２を入力するビデオ入力端子１２を備えている。この画像入力手段１０と画像表示手段３０
との間には、入力信号Ｓ１、Ｓ２の入力系統に応じてそれぞれ信号情報検出部１３が設けられている。
これらの信号情報検出部１３には、検出された信号情報をデバイス出力するために、信号情報出力部１４が接続されている。
【００２７】
信号情報検出部１３は、ＲＧＢ信号Ｓ１の入力系統に配置されるＰＣ信号情報検出部１３１およびコンポジット信号Ｓ２の入力系統に配置されるビデオ信号情報検出部１３２を備えている。すなわち、ＰＣ信号情報検出部１３１は、ＲＧＢ入力端子１１から入力される入力信号Ｓ１の信号情報を検出するものであり、ＲＧＢ信号である入力信号Ｓ１の信号情報には、ＶＧＡ、ＳＶＧＡ等の解像度に関する情報の他、リフレッシュレート、トラッキング情報等が含まれている。
一方、ビデオ信号検出部１３２は、ビデオ入力端子１２から入力される入力信号Ｓ２の信号情報を検出するものであり、コンポジット信号である入力信号Ｓ２の信号情報には、ＮＴＳＣ方式、ＰＡＬ方式等のテレビジョン方式に関する信号情報が含まれている。尚、ＰＣ信号情報検出部１３１、ビデオ信号情報検出部１３２には、これらの信号情報を検出できる公知の回路が採用されている。
【００２８】
信号情報出力部１４は、信号情報検出部１３により検出された信号情報を種々のデバイスに出力するものであり、判定手段５０、信号モード記憶手段６０、表示設定値記憶手段７０に信号情報を出力する他、図１では図示を略したが、画像表示手段３０にも信号情
報を出力し、入力信号Ｓ１、Ｓ２の信号情報がどのようなものであるかを画像表示手段３０に表示できるように構成されている。
【００２９】
信号処理手段２０は、ＲＧＢ信号処理系２１、ビデオデコーダ２２を含んで構成される。ＲＧＢ信号処理系２１は、ＲＧＢ信号Ｓ１を増幅するビデオアンプ２１１と、増幅されたＲＧＢ信号Ｓ１をＡ／Ｄ変換するＡ／Ｄコンバータ２１２とから構成され、ＲＧＢ入力端子１１と上述したＰＣ信号情報検出部１３１との間に配置されている。
一方、ビデオデコーダ２２は、ビデオ入力端子１２から入力されるコンポジット信号である入力信号Ｓ２を解読し、デジタルのＲＧＢ信号に変換するものであり、上述したビデオ信号情報検出部１３２と画像表示部３０との間に配置されている。
【００３０】
画像表示手段３０は、光源ランプから出射された光束を、画像信号に応じて変調する光変調系９２５（後述）と、この光変調系９２５により変調された変調光束を投写面に拡大投写する形式の投写型のものであり、図２に示すように、光源ランプユニット８と、光源
ランプユニット８からの光束（Ｗ）の面内照度分布を均一化する照明光学系９２３と、この照明光学系９２３からの光束（Ｗ）を、赤（Ｒ）、緑（Ｇ）、青（Ｂ）に分離する色分離光学系９２４と、各色光束Ｒ、Ｇ、Ｂを画像情報に応じて変調する光変調系９２５と、変調後の各色光束を合成する色合成光学系としてのプリズムユニット９１０とを含んで構成されている。
【００３１】
照明光学系９２３は、光源ランプユニット８から出射された光束Ｗの光軸１ａを装置前方向に折り曲げる反射ミラー９３１と、この反射ミラー９３１を挟んで配置される第１のレンズ板９２１および第２のレンズ板９２２とを備えている。
【００３２】
第１のレンズ板９２１は、マトリクス状に配置された複数の矩形レンズを有しており、光源から出射された光束を複数の部分光束に分割し、各部分光束を第２のレンズ板９２２の近傍で集光させる。
【００３３】
第２のレンズ板９２２は、マトリクス状に配置された複数の矩形レンズを有しており、第１のレンズ板９２１から出射された各部分光束を、光変調系９２５を構成するライトバルブ９２５Ｒ、９２５Ｇ、９２５Ｂ（後述）上に重畳させる機能を有している。
【００３４】
このように、本例の画像表示装置１では、照明光学系９２３により、液晶ライトバルブ９２５Ｒ、９２５Ｇ、９２５Ｂ上をほぼ均一な照度の光で照明することができるので、照度ムラのない投写画像を得ることができる。
【００３５】
色分離光学系９２４は、青緑反射ダイクロイックミラー９４１と、緑反射ダイクロイックミラー９４２と、反射ミラー９４３から構成される。まず、青緑反射ダイクロイックミラー９４１において、照明光学系９２３から出射される光束Ｗに含まれている青色光束Ｂ
および緑色光束Ｇが直角に反射され、緑反射ダイクロイックミラー９４２の側に向かう。
【００３６】
赤色光束Ｒはこの青緑反射ダイクロイックミラー９４１を通過して、後方の反射ミラー９４３で直角に反射されて、赤色光束Ｒの出射部９４４からプリズムユニット９１０の側に出射される。次に、青緑反射ダイクロイックミラー９４１において反射された青色、緑
色光束Ｂ、Ｇのうち、緑反射ダイクロイックミラー９４２において、緑色光束Ｇのみが直角に反射されて、緑色光束Ｇの出射部９４５から色合成光学系の側に出射される。この緑反射ダイクロイックミラー９４２を通過した青色光束Ｂは、青色光束Ｂの出射部９４６から導光系９２７の側に出射される。本例では、照明光学系９２３の光束Ｗの出射部から、色分離光学系９２４における各色光束の出射部９４４、９４５、９４６までの距離が全て
等しくなるように設定されている。
【００３７】
色分離光学系９２４の赤色、緑色光束Ｒ、Ｇの出射部９４４、９４５の出射側には、それぞれ集光レンズ９５１、９５２が配置されている。したがって、各出射部から出射した赤色、緑色光束Ｒ、Ｇは、これらの集光レンズ９５１、９５２に入射して平行化される。
【００３８】
このように平行化された赤色、緑色光束Ｒ、Ｇは、入射側偏光板９６０Ｒ、９６０Ｇを通って液晶ライトバルブ９２５Ｒ、９２５Ｇに入射して変調される。一方、青色光束Ｂは、導光系９２７を介して対応する液晶ライトバルブ９２５Ｂに導かれ、同様に変調が施される。
【００３９】
液晶ライトバルブ９２５Ｒ、９２５Ｇ、９２５Ｂは、ｐ−Ｓｉ−ＴＦＴをスイッチング素子として用いたアクティブマトリクス方式の液晶パネルであり、図２では図示を略したが、各液晶ライトバルブ９２５Ｒ、９２５Ｇ、９２５Ｂの画素を駆動するために、データ側駆動ドライバおよび走査側駆動ドライバを備えている。
【００４０】
導光系９２７は、青色光束Ｂの出射部９４６の出射側に配置した集光レンズ９５４と、入射側反射ミラー９７１と、出射側反射ミラー９７２と、これらの反射ミラーの間に配置した中間レンズ９７３と、液晶ライトバルブ９２５Ｂの手前側に配置した集光レンズ９５３とから構成されており、集光レンズ９５３から出射した青色光束Ｂは、入射側偏光板９６０Ｂを通って液晶ライトバルブ９２５Ｂに入射して変調される。各色光束の光路長、すなわち、光源ランプ１８１から各液晶パネルまでの距離は青色光束Ｂが最も長くなり、したがって、この光束の光量損失が最も多くなる。しかし、導光系９２７を介在させることにより、光量損失を抑制できる。
【００４１】
そして、各液晶ライトバルブ９２５Ｒ、９２５Ｇ、９２５Ｂを通って変調された各色光束Ｒ、Ｇ、Ｂは、出射側偏光板９６１Ｒ、９６１Ｇ、９６１Ｂを通ってプリズムユニット９１０に入射され、ここで合成される。そして、このプリズムユニット９１０によって合
成されたカラー画像が投写レンズユニット６を介して所定の位置にある投写面１００上に拡大投写されるようになっている。
【００４２】
画像表示調整手段４０は、図１に示すように、入力信号Ｓ１、Ｓ２に基づいて、画像表示手段３０の表示設定を調整するものであり、トラッキング、同期、表示位置が調整可能に構成されている。尚、この画像表示調整手段４０は、判定手段５０の結果により自動的に画像表示手段３０の調整を実行する他、画像表示装置１に設けられるスイッチによりユーザーが手動により調整することができるようになっている。
【００４３】
判定手段５０は、図１では図示を略したが、信号情報出力部１４から出力された信号情報を記憶保持するＲＡＭと、このＲＡＭに書き込まれた信号情報に基づいて画像表示調整手段４０に調整を実行させるか否かを判断するＣＰＵとを備えている。
【００４４】
信号モード記憶手段６０は、画像表示装置１の電源を遮断しても、記憶情報が失われないＥ２ＰＲＯＭから構成され、画像表示装置１の電源を遮断すると、直前の状態で画像表示手段３０に用いられていた解像度およびリフレッシュレートからなる信号モードを記
憶するように構成されている。
【００４５】
表示設定値記憶手段７０は、画像表示装置１の起動中、入力信号Ｓ１に応じた画像表示手段３０の表示設定値を逐次記憶保管するＳＲＡＭ（ＳｔａｔｉｃＲＡＭ）と、コンピュータの機種および入力信号Ｓ１の信号モードに応じて、適切な画像が得られるように、ユーザーが調整した画像表示手段３０の表示設定値を記憶保管するＥ２ＰＲＯＭとを備えている。尚、表示設定値記憶手段７０のＥ２ＰＲＯＭは、信号モード記憶手段６０と共通であり、上述したように、画像表示装置１の電源を遮断しても、表示設定値の保管情報は揮発しないようになっている。
【００４６】
画像表示設定手段８０は、上述した表示設定値記憶手段７０から表示設定値に関する情報を取得し、当該設定値に基づいて画像表示手段の表示設定を行うものである。尚、表示設定値記憶手段７０には、上述したように、コンピュータの種類および解像度、リフレ
ッシュレート等の信号モードに応じて、ユーザーが設定したトラッキング、同期、表示位置に関する表示設定値が格納されている。そして、画像表示設定手段８０が表示設定値を呼び出す際に、トリガ情報として信号モードしか呼び出すことができない場合、画像表示設定手段８０は、信号モードに応じた標準設定値に基づいて画像表示手段３０の表示設定を行うように構成されている。
【００４７】
次に、判定手段５０のソフト的な構成を図３のフローチャートに基づいて説明する。
【００４８】
判定手段５０は、入力信号Ｓ１の変化が画像表示装置１の起動時によるものであるか否かを検出する装置起動検出部５１と、入力信号Ｓ１の変化を検出する信号変化検出部５２と、信号変化検出部５２で入力信号Ｓ１に変化があると検出された場合、変化前の入力信
号Ｓ１の有無を検出する変化前信号検出部５３と、変化前信号検出部５３で変化前には入力信号Ｓ１の入力がないと検出された場合、変化後の入力信号Ｓ１のトラッキング情報を取得し、表示設定値記憶手段７０に記憶された表示設定値のトラッキング情報と比較するトラッキング情報比較部５４とを含んで構成され、入力信号Ｓ１の変化に対して以下のような手順で判定する。
【００４９】
(1)  画像表示装置１において、まず、装置起動検出部５１により、画像表示装置１の起動により入力信号Ｓ１が変化しているものであるか否かを検出する。
【００５０】
(2)  画像表示装置１の電源の起動により、入力信号Ｓ１に変化が生じていると検出された場合、判定手段５０は、信号モード記憶手段６０に蓄積された信号情報（信号モードおよび当該信号モードにおける表示設定の標準設定値）を取得する処理５５を実行する。そして、トラッキング情報比較部５４により、信号情報を構成するトラッキング情報が入力信号Ｓ１の変化の前後で異なっているかを比較する。この場合、変化前には、電源が遮断されていたのだから、トラッキング情報は変化の前後で異なり、従って、判定手段５０は、画像表示調整手段４０による自動調整を実行させる処理５６を行う。
【００５１】
(3)  一方、電源起動による入力信号Ｓ１の変化が生じていないと検出された場合、信号変化検出部５２により、入力信号Ｓ１に変化があるか否かを検出する。入力信号Ｓ１に変化がないと検出された場合、画像表示手段３０の表示設定を行う必要はないので、判定手段５０による判定を終了する。
【００５２】
(4)  入力信号Ｓ１に変化があると検出された場合、変化前信号検出部５３により、変化前の入力信号Ｓ１が存在しているか否かを検出する。そして、変化前に入力信号Ｓ１が存在していると検出された場合、コンピュータの切り替え等により入力信号Ｓ１が変化していると考えられるので、判定手段５０は、画像表示調整手段４０による自動調整を実行させる処理５６を行う。
【００５３】
(5)  一方、変化前の入力信号Ｓ１が存在していないと検出された場合、従前に入力信号Ｓ１を出力していたコンピュータの電源が一旦遮断され、再び起動されたか、入力信号Ｓ１が出力されていたコンピュータのケーブルを接続し直した場合が考えられるので、表
示設定値記憶手段７０を構成するＳＲＡＭ内に蓄積された従前の信号モードおよびトラッキング情報を取得する処理５７を行って判定手段５０内のＲＡＭに格納する。そして、トラッキング情報比較部５４により、変化後の入力信号Ｓ１のトラッキング情報とＲＡＭ内のトラッキング情報との比較を行う。
【００５４】
(6)  トラッキング情報比較部５４により、変化前後のトラッキング情報が異なると判断された場合、判定手段５０は、画像表示調整手段４０による自動調整を実行させる処理５６を行う。一方、変化前後のトラッキング情報が同じであると判断された場合、従前の画像表示手段３０の表示設定をそのまま利用するために、判定手段５０は、画像表示設定手段８０を実行させる処理５８を行う。
【００５５】
以上のような実施形態によれば、以下のような効果がある。
【００５６】
すなわち、画像表示装置１が判定手段５０を備えているので、入力信号Ｓ１に変化があった場合であっても、画像表示調整手段４０による画像表示手段３０の表示設定の自動調整を特定の場合にのみ行わせることができ、画像表示手段の表示設定の調整の効率化を図
ることができる。
【００５７】
また、判定手段５０が装置起動検出部５１を備えているので、画像表示装置１の起動により入力信号Ｓ１に変化が生じているかどうかを判別することができ、起動時の入力信号Ｓ１の変化の場合に画像表示調整手段４０による表示設定の自動調整を行わせることができる。
【００５８】
さらに、前回の電源遮断時の画像表示手段３０の信号モードを記憶した信号モード記憶手段６０を備え、画像表示調整手段４０がこの信号モード記憶手段６０に記憶された信号モードを取得して自動調整を行うので、当該電源遮断時の画像表示手段の表示設定を利用することができ、画像表示調整手段４０による表示設定の調整の効率化を図ることができる。
【００５９】
そして、判定手段５０が信号変化検出部５２を備え、入力信号Ｓ１に変化がないと検出された場合、上述の(3)で述べた経路により判定を終了するので、必要のある場合のみ画像表示調整手段４０による自動調整を実行させることができる。
【００６０】
また、判定手段５０が変化前信号検出部５３を備え、上述の(4)、(5)のように、変化前の入力信号Ｓ１がある場合、画像表示調整手段４０による自動調整を行うようにしているので、一層限定された状況でのみ自動調整を行うこととなり、画像表示手段３０の表示設定の調整を一層効率的に行うことができる。
【００６１】
さらに、判定手段５０がトラッキング情報比較部５４を備えているので、変化後の入力信号Ｓ１のトラッキング情報が表示設定値記憶手段７０のＳＲＡＭ内に記憶された従前のトラッキング情報と合致しない場合のみ画像表示調整手段４０による自動調整を実行させればよく、画像表示調整手段４０による調整をより一層効率的に行うことができる。
【００６２】
尚、本発明は、前述の実施形態に限定されるものではなく、次に示すような変形をも含むものである。
【００６３】
すなわち、前記実施形態では、投写型の画像表示装置１に本発明を利用していたが、これに限らず、例えば、プラズマディスプレイ、エレクトロルミネッセンスディスプレイ等のドットマトリクス形式のディスプレイであれば、本発明を利用することができる。
【００６４】
また、前記実施形態では、判定手段５０は、装置起動検出部５１の次に信号変化検出部５２が配置されていたが、これに限らず、図３におけるフローチャートにおいて、信号変化検出部を先に配置するように判定手段を構成してもよい。
【００６５】
さらに、前記実施形態では、信号モード記憶手段６０は、Ｅ２ＰＲＯＭから構成されていた、これに限らず、ＥＰＲＯＭや、画像表示装置の電源を遮断しても持続して電力が供給されるように構成したＲＡＭ等により構成してもよい。
【００６６】
その他、本発明の実施の際の具体的な構造および形状等は、本発明の目的を達成できる範囲で他の構造等としてもよい。
【図面の簡単な説明】
【００６７】
【図１】本発明の実施形態に係る画像表示装置の構造を表すブロック図である。
【図２】前記実施形態における画像表示手段の構造を表す模式図である。
【図３】前記実施形態における判定手段の判定構造を表すフローチャートである。
【符号の説明】
【００６８】
１…画像表示装置
１０…画像入力手段
３０…画像表示手段
４０…画像表示調整手段
５０…判定手段
５１…装置起動検出部
５２…信号変化検出部
５３…変化前信号検出部
５４…トラッキング情報比較部
６０…信号モード記憶手段
Ｓ１…入力信号
【図１】
2006154836.tif 000003
【図２】
2006154836.tif 000004
【図３】
2006154836.tif 000005